(57)【要約】【課題】  視聴者の利便性を向上させ、また配信者の意図を反映した表示処理を行うことのできるコンテント配信システムを提供する。【解決手段】  配信サーバ１が、配信の対象となったコンテントデータとともに、当該コンテントデータについて予め設定された配信画面サイズ情報を配信し、クライアント装置においてコンテントデータと配信画面サイズ情報との配信を受けて、少なくとも一部のコンテント要素を表示するための領域のサイズと、配信画面サイズ情報によって規定される標準のサイズとを比較し、当該比較に基づいて、各コンテント要素の表示を制御するコンテント配信システムである。【選択図】        図１
2007088631.tif 000002
【特許請求の範囲】
【請求項１】
複数のコンテント要素を含んでなるコンテントデータを配信し、利用者に提示させるコンテント配信システムであって、
コンテント配信サーバと、クライアント装置とを含み、
前記コンテント配信サーバは、配信の対象となったコンテントデータとともに、当該コンテントデータについて予め設定された配信画面サイズ情報を配信し、
前記クライアント装置は、
コンテントデータと配信画面サイズ情報との配信を受けて、少なくとも一部のコンテント要素を表示するための領域のサイズと、前記配信画面サイズ情報によって規定される標準のサイズとを比較し、当該比較に基づいて、各コンテント要素の表示を制御することを特徴とするコンテント配信システム。
【請求項２】
配信の対象となったコンテントデータとともに、当該コンテントデータについて予め設定された配信画面サイズ情報の配信を受けて、少なくとも一部のコンテント要素を表示するための領域のサイズと、前記配信画面サイズ情報によって規定される標準サイズとを比較し、当該比較に基づいて、各コンテント要素の表示を制御することを特徴とするコンテントデータ表示装置。
【請求項３】
請求項２に記載のコンテントデータ表示装置であって、
前記配信画面サイズには、いずれかのコンテント要素についての標準の画面サイズが規定され、予め設定された画面レイアウトで、各コンテント要素をレイアウト表示したときに、コンテント要素についての画面サイズが、前記標準の画面サイズを下回る場合に、前記設定された画面レイアウトとは異なる画面レイアウトを利用して各コンテント要素を表示することを特徴とするコンテントデータ表示装置。
【請求項４】
請求項３に記載のコンテントデータ表示装置であって、
設定された画面レイアウトとは異なる前記画面レイアウトは、設定された画面レイアウトによって表示されるコンテント要素の数よりも少ない数のコンテント要素を表示する画面レイアウトであることを特徴とするコンテントデータ表示装置。
【請求項５】
請求項２に記載のコンテントデータ表示装置であって、
前記コンテント要素の表示制御においては、各コンテントデータの表示・非表示を制御することを特徴とするコンテントデータ表示装置。
【請求項６】
配信の対象となったコンテントデータとともに、当該コンテントデータについて予め設定された配信画面サイズ情報の配信を受けて、少なくとも一部のコンテント要素を表示するための領域のサイズと、前記配信画面サイズ情報によって規定される標準のサイズとを比較し、当該比較に基づいて、各コンテント要素の表示を制御することを特徴とするコンテントデータの表示制御方法。
【請求項７】
コンピュータに、
配信の対象となったコンテントデータとともに、当該コンテントデータについて予め設定された配信画面サイズ情報の配信を受けて、少なくとも一部のコンテント要素を表示するための領域のサイズと、前記配信画面サイズ情報によって規定される標準のサイズとを比較し、当該比較に基づいて、各コンテント要素の表示を制御する手順を実行させることを特徴とするプログラム。
【発明の詳細な説明】
【技術分野】
【０００１】
本発明は、動画像や静止画像、音声、その他のコンテント要素を含むコンテントデータを配信、表示するコンテント配信システムに関する。
【背景技術】
【０００２】
近年では、コンピュータネットワークを介して講義内容を伝達する、いわゆる電子学習システムが普及しつつある。この電子学習システムで配信される講義内容のコンテントには、一般に、講師自身の動きなどを含む動画像データや、板書の内容やスライドの画像などを含むスライド画像データ、講師の音声などの音声データ、その他の種々の要素（コンテント要素）が含まれている。
【０００３】
講義を受ける側では、これら動画像データやスライド画像データを、閲覧用ソフトウエアなどで事前に定められたレイアウトに並べて表示させ、それを閲覧することになる。
【０００４】
なお、テレビ電話において、相手側に応じた背景を表示する装置が特許文献１に開示されている。
【特許文献１】特開２０００−１７５１６９号公報
【発明の開示】
【発明が解決しようとする課題】
【０００５】
ところで近年では利用者が携帯電話機や携帯型の端末など、小型のディスプレイを備えた装置を用いてネットワークにアクセスすることも多くなっており、こうした場合に上記従来の電子学習システムにおけるように種々の画像のデータを配信して、規定されたレイアウト通り表示しようとすると、例えば静止画像などは縮小され過ぎて書かれている内容を理解できないといった場合も生じ得る。
【０００６】
しかしながら、従来の電子学習システムでは、こうした視聴者側の環境に配慮した処理が行われておらず、視聴者側で種々工夫して閲覧しなければならないのが現状である。またこのような状態であるので、視聴者側に対して配信者の意図した内容を伝達できない場合がある。
【０００７】
本発明は上記実情に鑑みて為されたもので、視聴者の利便性を向上させ、また配信者の意図を反映した表示処理を行うことのできるコンテント配信システム、コンテントデータ表示装置、コンテントデータの表示制御方法、及びプログラムを提供することを、その目的の一つとする。
【課題を解決するための手段】
【０００８】
上記従来例の問題点を解決するための本発明は、複数のコンテント要素を含んでなるコンテントデータを配信し、利用者に提示させるコンテント配信システムであって、コンテント配信サーバと、クライアント装置とを含み、前記コンテント配信サーバは、配信の対象となったコンテントデータとともに、当該コンテントデータについて予め設定された配信画面サイズ情報を配信し、前記クライアント装置は、コンテントデータと配信画面サイズ情報との配信を受けて、少なくとも一部のコンテント要素を表示するための領域のサイズと、前記配信画面サイズ情報によって規定されるサイズとを比較し、当該比較に基づいて、各コンテント要素の表示を制御することを特徴としている。
【０００９】
また、本発明の一態様は、コンテントデータ表示装置であって、配信の対象となったコンテントデータとともに、当該コンテントデータについて予め設定された配信画面サイズ情報の配信を受けて、少なくとも一部のコンテント要素を表示するための領域のサイズと、前記配信画面サイズ情報によって規定される標準のサイズとを比較し、当該比較に基づいて、各コンテント要素の表示を制御することを特徴としている。
【００１０】
ここで前記配信画面サイズには、いずれかのコンテント要素についての標準の画面サイズが規定され、予め設定された画面レイアウトで、各コンテント要素をレイアウト表示したときに、コンテント要素についての画面サイズが、前記標準の画面サイズを下回る場合に、前記設定された画面レイアウトとは異なる画面レイアウトを利用して各コンテント要素を表示することとしてもよい。この場合、設定された画面レイアウトとは異なる前記画面レイアウトは、設定された画面レイアウトによって表示されるコンテント要素の数よりも少ない数のコンテント要素を表示する画面レイアウトであってもよい。
【００１１】
また、前記コンテント要素の表示制御においては、各コンテントデータの表示・非表示を制御することとしてもよい。
【００１２】
さらに本発明の別の態様は、コンテントデータの表示制御方法であって、配信の対象となったコンテントデータとともに、当該コンテントデータについて予め設定された配信画面サイズ情報の配信を受けて、少なくとも一部のコンテント要素を表示するための領域のサイズと、前記配信画面サイズ情報によって規定される標準のサイズとを比較し、当該比較に基づいて、各コンテント要素の表示を制御することを特徴としている。
【００１３】
さらに本発明の別の態様に係るプログラムは、コンピュータに、配信の対象となったコンテントデータとともに、当該コンテントデータについて予め設定された配信画面サイズ情報の配信を受けて、少なくとも一部のコンテント要素を表示するための領域のサイズと、前記配信画面サイズ情報によって規定される標準のサイズとを比較し、当該比較に基づいて、各コンテント要素の表示を制御する手順を実行させることを特徴としている。
【発明を実施するための最良の形態】
【００１４】
本発明の実施の形態について図面を参照しながら説明する。本発明の実施の形態に係るコンテント配信システムは、図１に示すように配信サーバ１と、クライアント装置としてのコンテントデータ表示装置２とを含んで構成されている。
【００１５】
配信サーバ１は、図１に示すように、制御部１１と、記憶部１２と、コンテントデータストレージ部１３と、通信部１４とを含んで構成されている。また、コンテントデータ表示装置２は、制御部２１と、記憶部２２と、操作部２３と、表示部２４と、通信部２５とを含んで構成されている。
【００１６】
配信サーバ１の制御部１１は、ＣＰＵであり、記憶部１２に格納されているプログラムに従って動作する。この制御部１１は、コンテントデータストレージ部１３に格納されているコンテントデータを配信する処理を実行する。
【００１７】
記憶部１２は、ＲＡＭやＲＯＭ等の記憶素子を含んで構成される。この記憶部１２は、制御部１１によって実行されるプログラムを保持している。また、この記憶部１２は制御部１１のワークメモリとしても動作する。
【００１８】
コンテントデータストレージ部１３は、例えばハードディスク等のストレージデバイスである。このコンテントデータストレージ部１３は、配信の対象となるコンテントデータを少なくとも一つ保持している。本実施の形態では、このコンテントデータには、図２に示すように、複数のコンテント要素が含まれる。図２では、動画像データとスライド画像データと音声データとが含まれる例を示している。スライド画像データは、複数の静止画像データと、各静止画像データの表示タイミングを表す時刻情報とを含む。コンテントデータ表示装置２では、動画像データや音声データを再生している間に、これらの動画像データ等の再生時刻が、上記スライド画像データに含まれる表示タイミングになるごとに、当該表示タイミングに関連づけられた静止画像データを表示する。なお、コンテント要素は、ここに例示したものに限られない。
【００１９】
また本実施の形態においては、このコンテントデータに、コンテントデータを表示するための規定レイアウトを特定する情報（表示レイアウト規定情報）と、少なくとも一部のコンテント要素について、当該コンテント要素の表示に係る画面サイズ情報を含む。これらの情報の例については、後に詳しく述べる。
【００２０】
通信部１４は、ネットワークインタフェース等であり、制御部１１から入力される指示に従って、動画像データを送信する。また、通信部１４は、ネットワークを介して動画像視聴装置２から受信される視聴情報を制御部１１に出力する。
【００２１】
コンテントデータ表示装置２の制御部２１は、ＣＰＵであり、記憶部２２に格納されているプログラムに従って動作する。この制御部２１は、配信サーバ１から受信されるコンテントデータを記憶部２２に蓄積し、記憶部２２に蓄積したコンテントデータを、利用者からの指示操作に従って表示部２４に表示出力する。この制御部２１の処理の内容については後に詳しく述べる。
【００２２】
記憶部２２は、ＲＡＭやＲＯＭ等の記憶素子を含んで構成される。この記憶部２２は、制御部２１によって実行されるプログラムを保持している。また、この記憶部２２は制御部２１のワークメモリとしても動作し、再生の対象となるコンテントデータを蓄積して保持する。
【００２３】
操作部２３は、マウスやキーボードなどであり、利用者の指示操作の内容を制御部２１に出力する。表示部２４は、ディスプレイ等であり、制御部２１から入力される指示に従って画像を表示出力する。
【００２４】
通信部２５は、ネットワークインタフェース等であり、制御部２１から入力される指示に従って、例えばコンテントデータの要求を送信する。また、通信部２５は、ネットワークを介して配信サーバ１から受信されるコンテントデータを制御部２１に出力する。
【００２５】
ここで配信サーバ１の制御部１１における処理について説明する。この制御部１１ではコンテントデータごとに、コンテントデータに含まれる各コンテント要素を表示するための画面レイアウトと少なくとも一部のコンテント要素を表示する際の画面サイズを規定する配信画面サイズ情報とを設定する。この設定は例えば図３に示すインタフェース画面によって行われる。
【００２６】
すなわち、コンテントデータについて、動画像と静止画像と説明文やインデックス（動画像などの時間軸上に関連する文字列データ）などを表示するレイアウトが複数配列され、これらのいずれかから配信者が選択できるようになっている（図３（Ａ））。
【００２７】
また、この図３の例では、コンテント要素の一つである動画像データについて、標準の画面サイズと、コンテントデータ全体（コンテント要素の全部）を表示する際の標準の画面サイズとを設定可能となっている（図３（Ｂ））。なお、コンテントデータ全体に係る画面サイズは、必ずしも設定しなければならないものではない。
【００２８】
ここで設定された情報は、コンテントデータに関連づけてコンテントデータストレージ部１３に格納される。すなわち、コンテントデータストレージ部１３には、図４に示すように、コンテントデータごとに、各コンテントデータについて設定された画面レイアウトを特定する情報と、少なくとも一部のコンテント要素を表示するための領域のサイズを規定する配信画面サイズ情報とを関連づけて格納している。ここでの配信画面サイズ情報には、図３に示した設定画面での設定により、標準の画面サイズが含まれ、また、設定されていればコンテントデータ全体を表示する際の標準の画面サイズが含まれる。
【００２９】
配信サーバ１の制御部１１は、コンテントデータ表示装置２から、コンテントデータの指定とともに、当該指定されたコンテントデータを配信するべき要求を受けると、当該指定されたコンテントデータと、当該コンテントデータに関連づけられている画面レイアウトを特定する情報と配信画面サイズ情報とをコンテントデータストレージ部１３から読み出して、画面レイアウトを特定する情報と配信画面サイズ情報とを、要求元のコンテントデータ表示装置２に配信し、次いでコンテントデータの配信を開始する。なお本実施の形態では、コンテントデータの配信は、一旦コンテントデータ全体をコンテントデータ表示装置２側へダウンロードする蓄積型であると、コンテントデータの一部分を順次コンテントデータ表示装置２側へ送信するストリーム型であるとを問わない。
【００３０】
次に、コンテントデータ表示装置２の制御部２１の動作について説明する。なお、コンテントデータ表示装置２においては、配信サーバ１から指定を受け得るレイアウト情報に対応した各コンテント要素の配置態様を規定するレイアウト規定情報が記憶部２２に予め格納されている。
【００３１】
ここでレイアウト規定情報は、例えば、少なくとも一つのペイン（表示領域）を規定する情報として記述される。具体的な例を挙げると、レイアウト規定情報は、ペインごとに表示されるべきコンテント要素を特定する情報と、少なくとも一つのコンテントを含むペインの配置方向を規定する情報（方向規定）と、ペインのサイズ比率と、各コンテント要素についての表示領域の縦横比とを含んで構成される。
【００３２】
例えば、レイアウト規定情報において、図５（ａ）に示すように、各ペインに表示すべきコンテント要素として、第１ペインに動画像データと、インデックスとが指定され、第２ペインにスライド画像データが指定されており（Ｐ）、またこれらの第１、第２ペインを横方向に（左右に）配置するべき方向規定が記述され（Ｑ）、そのサイズ比率が、３：７と規定され（Ｒ）、動画像データとスライド画像データとインデックスとの表示領域の縦横比がそれぞれ規定されている場合（Ｓ）は、図５（ｂ）に示すようなレイアウトを表していることになる。
【００３３】
また、図５（ｃ）に示すように、一つのペインに動画像データとインデックスとを表示するべき指定がされ（Ｐ）、動画像データとインデックスとの表示領域の縦横比がそれぞれ規定されている場合（Ｓ）は、図５（ｄ）に示すようなレイアウトを表していることになる。
【００３４】
制御部２１は、コンテントデータの配信要求を行うと、当該配信要求先である配信サーバ１から画面レイアウトを特定する情報と配信画面サイズ情報とを受信して、図６に示す処理を開始する。
【００３５】
制御部２１は、まず、表示部２４において、配信サーバ１から受信したレイアウト情報を特定する情報に従って、記憶部２２に格納されているレイアウト規定情報を読み出し、当該レイアウト規定情報に従って各コンテント要素の表示領域を画定する（Ｓ１）。
【００３６】
例えば制御部２１は、コンテントデータ全体の表示サイズの情報（全体サイズ情報）を取得して、方向規定に示される方向に、指定された割合で領域を区分してペインを画定する。具体例として全体サイズ情報の幅方向が１２８０ピクセルである場合であって、図５（ａ）に示したように、３：７の比率で分割する場合、第１ペインが３８４ピクセル幅の領域、第２ペインが８９６ピクセル幅の領域として画定される。そして、制御部２１は、各ペインについて表示するべき指定がされているコンテント要素を配置する。ここで述べた具体例では、幅方向が規定されているので、例えば動画像データの縦横比がｒｖ（縦）：ｒｈ（横）と指定される場合、動画像データの縦方向のピクセル数が、３８４×ｒｖ／ｒｈとして定められる。
【００３７】
さらにこの動画像データと同じペインに配置されるべき指定がされているインデックスについては、第１ペインの３８４×ｒｖ／ｒｈ＋１ピクセルの高さの位置から、その縦横比に従ったサイズの領域に配置される。こうして、各コンテント要素の配置領域が画定される。
【００３８】
次に、制御部２１は受信した配信画面サイズ情報を参照して、表示部２４における表示領域のうち、対応する表示サイズの情報を取得する（Ｓ２）。ここでは動画像データについて配信画面サイズ情報が含まれるので、動画像データの表示サイズの情報を取得することになる。そして配信サーバ１から受信した配信画面サイズ情報に含まれる各サイズ情報と、全体サイズ情報または処理Ｓ２にて取得した対応する表示サイズの情報の少なくとも一方とを比較する。
【００３９】
この比較の処理では、まず、コンテントデータ全体に係る標準の画面サイズの情報が配信画面サイズ情報に含まれているかを判断する（Ｓ３）。そして、含まれていれば、このコンテントデータ全体に係る標準の画面サイズの情報が全体サイズ情報よりも大きいか否か（標準サイズが全体サイズより大か）を調べる（Ｓ４）。ここで、標準サイズが全体サイズよりも大きい場合（Ｙｅｓの場合）は、表示レイアウトの変更処理を実行する（Ｓ５）。この表示レイアウトの変更処理については後に述べる。
【００４０】
さらに制御部２１は、配信画面サイズ情報のうち、動画像データの表示サイズの情報の高さと幅の少なくとも一方について、その所定倍数倍が、表示部２４の表示領域サイズの対応する方向のサイズ（高さ又は／及び幅のサイズ）よりも大きいか否かを調べる（所定倍率で拡大不可能か；Ｓ６）。ここで、所定倍率で拡大不可能であると判断した場合（Ｙｅｓの場合）は所定倍拡大ボタンを表示することなくそのまま処理を終了する。また、処理Ｓ６において、所定倍率で拡大不可能でないと判断した場合（Ｎｏの場合）は、所定倍拡大ボタンを表示して（Ｓ７）、処理を終了する。
【００４１】
また、処理Ｓ３において、コンテントデータ全体に係る標準の画面サイズの情報が配信画面サイズ情報に含まれていなければ、配信画面サイズ情報に含まれる動画像データの標準表示サイズ（コンテント要素の少なくとも一部を表示するための領域サイズの一例に相当する）と、処理Ｓ２で取得した動画像データの表示サイズとを比較する（Ｓ８）。ここで動画像データの標準表示サイズが、取得した動画像データの表示サイズよりも大きい場合（動画像についての標準サイズが表示サイズより大きい場合や、Ｙｅｓの場合）は、処理Ｓ５に進んで、表示レイアウトの変更処理を実行する。
【００４２】
さらに処理Ｓ８や処理Ｓ４において、動画像についての標準サイズが表示サイズより大きくない場合や、全体についての標準サイズが全体サイズより大きくない場合（Ｎｏの場合）は、処理Ｓ６に移行する。
【００４３】
ここで処理Ｓ５における表示レイアウトの変更処理について説明する。この処理の一例では、制御部２１は、コンテントデータ全体の表示サイズの情報（全体サイズ情報）を取得し、次に、配信画面サイズ情報に含まれているコンテント要素を含まないペインのサイズを変更する。すなわち、まず、配信画面サイズ情報に含まれるコンテント要素を内包するペインについては、配信画面サイズ情報に従ってペインのサイズを画定する。例えば、方向規定より、横方向と規定されている場合は配信画面サイズ情報に含まれるコンテント要素の横幅の指定値を、ペインの幅方向のサイズとして決定する。また方向規定より、縦方向と規定されている場合は配信画面サイズ情報に含まれるコンテント要素の高さの指定値を、ペインの高さ方向のサイズとして決定する。
【００４４】
そしてコンテントデータ全体の表示サイズのうち、上記画定したペインのサイズ分を除く残余の領域に、画定したペイン以外のペインを配置する。
【００４５】
一例として、全体サイズ情報の幅方向が７００ピクセルである場合であって、図５（ａ）に示したように、３：７の比率で分割する場合、第１ペインが２１０ピクセル、第２ペインは４９０ピクセルとなる。ここで第１ペインに表示するべき動画像データについて、配信画面サイズ情報によりその幅が３００ピクセルと規定されている場合は、レイアウトの規定に関わらず第１ペインの幅を３００ピクセルと定める。そして、残りの幅４００ピクセル（７００−３００＝４００ピクセル）の領域を第２ペインと定める。このように本実施の形態では、配信側によって設定されていた画面レイアウトとは異なる画面レイアウトによって各コンテント要素を表示する。
【００４６】
これにより動画像データの表示サイズが配信者の意図したサイズよりも小さくなってしまうことがない。また、レイアウトの規定により重要なコンテント要素が視認不能な程度に縮小されてしまうことがなくなる。
【００４７】
また、この場合において残りの領域が予め定められた下限値を下回っている場合は、当該残りの領域に配置するべきペインに含まれるコンテント要素を表示しないこととしてもよい。例えば、上記の場合において、全体サイズ情報の幅方向が３５０ピクセルである場合、第１ペインの幅は、上述のように動画像データの幅に従って３００ピクセルとなり、残りの幅は５０ピクセルとなる。ここで下限値が１００ピクセルと定められているときには、第２ペインを表示せず、第１ペインに含まれるコンテント要素のみが表示される。
【００４８】
すなわちこの場合、一部のコンテントデータが非表示となり、設定された画面レイアウトによって表示されるべきコンテント要素の数よりも少ない数のコンテント要素が表示される。
【００４９】
さらに、ペインが表示される場合であったも、例えばペイン内において表示するべきと設定されているコンテント要素ごとに、表示／非表示を制御してもよい。すなわち、上述の例において、動画像データの表示領域の高さが縦横比の情報から２００ピクセルと算出され、全体サイズ情報の高さ方向が２５０ピクセルであるとすると、残りの高さは５０ピクセルとなる。ここで高さ方向についても下限値が１００ピクセルと定められているときには、動画像データとともに表示するべき設定となっているインデックスの画像については、表示を行なわない。
【００５０】
また、ここまでの説明では、配信画面サイズ情報には、コンテント要素の標準的な表示サイズを規定するものとしたが、最小サイズの規定を含んでもよい。この場合、最小サイズの表示領域を確保できない場合、制御部２１は、当該コンテント要素については表示をしないよう制御する。
【００５１】
例えば、動画像データについて最小サイズが幅６４０ピクセルと規定されているときに、全体サイズ情報で規定される幅方向のサイズが４００ピクセルであると、動画像データを表示しない。この結果、表示されるべきコンテント要素が一切表示されない場合もあり得るが、その場合は、音声データがあれば、当該音声データを鳴動し、当該音声データの再生、停止等を制御するコントロールインタフェースのみを表示することとすればよい。
【００５２】
さらに、複数のコンテント要素について標準サイズを規定する場合、配信サーバ１側でいずれか一つのコンテント要素を優先コンテント要素として規定しておき、当該優先コンテント要素を特定する情報をコンテントデータ表示装置２に配信してもよい。
【００５３】
コンテントデータ表示装置２は、表示レイアウトの変更処理を行う際に、複数のペインに含まれるコンテント要素について標準サイズが設定されている場合には、優先コンテント要素を特定する情報が配信されているか否かを調べる。ここで優先コンテント要素を特定する情報が配信されていれば、当該情報で特定される優先コンテント要素の標準サイズにより、当該優先コンテント要素を含むペインのサイズを決定し、残余の領域に他のペインを配置する処理を行う。
【００５４】
例えば、上述の例のように、全体サイズ情報の幅方向が７００ピクセルである場合であって、図５（ａ）に示したように、３：７の比率で分割する場合、第１ペインが２１０ピクセル、第２ペインは４９０ピクセルとなる。ここで第１ペインに表示するべき動画像データについて、配信画面サイズ情報によりその幅が３００ピクセルと規定され、また第２ペインに表示するべきスライド画像データについて配信画面サイズ情報によりその幅が５００ピクセルと規定されているとする。
【００５５】
この場合において、別途優先コンテント要素としてスライド画像データを特定する情報が配信されているときには、制御部２１は、レイアウトの規定に関わらず第２ペインの幅を優先コンテント要素として指定されたスライド画像データの標準サイズに従って５００ピクセルと定める。そして、残りの幅２００ピクセル（７００−５００＝２００ピクセル）の領域を第１ペインと定める。
【００５６】
このように本実施の形態によると、視聴者の利便性を向上させ、また配信者の意図を反映した表示処理を行うことができる。
【図面の簡単な説明】
【００５７】
【図１】本発明の実施の形態に係るコンテント配信システムの構成例を表すブロック図である。
【図２】本発明の実施の形態に係るコンテントデータの一例を表す説明図である。
【図３】本発明の実施の形態に係るコンテントデータについての表示レイアウトを設定する設定画面の例を表す説明図である。
【図４】本発明の実施の形態に係るコンテントデータと、関連するデータの蓄積態様の例を表す説明図である。
【図５】本発明の実施の形態に係るレイアウトの規定情報の例と、それによって規定されるレイアウトの概要例を表す説明図である。
【図６】本発明の実施の形態に係るコンテント表示装置における処理例を表すフローチャート図である。
【符号の説明】
【００５８】
１  配信サーバ、２  コンテント表示装置、１１，２１  制御部、１２，２２  記憶部、１３  コンテントデータストレージ部、１４，２５  通信部、２３  操作部、２４  表示部。
【図１】
2007088631.tif 000003
【図２】
2007088631.tif 000004
【図３】
2007088631.tif 000005
【図４】
2007088631.tif 000006
【図５】
2007088631.tif 000007
【図６】
2007088631.tif 000008